(57)【要約】      （修正有）【課題】米、お茶、穀物が受ける紫外線、電磁波、放射線、セシウムを遮断し安全な保管をする為にアルミニウム板の厚い物、薄い物で遮断をした米びつ保管容器を提供する。【解決手段】米、お茶、穀物を安全に保管する為にアルミニウム箱２全体を表面加工し、外部通電を遮断し、更に脱臭シート、腐食防止シート、脱除シートを袋に縫い合わせてアルミニウムの箱に収めて安全な米の保管容器とした。【選択図】図１
0003178466.tif 000002
【実用新案登録請求の範囲】
【請求項１】
米、お茶、穀物保存の物品名、米の保管容器とした、紫外線、電磁波、放射線、セシウムを遮断する、形状は、アルミニウム板を四角、八角、円形、形は好みの箱に作り、構造は、更に箱全体を表面加工し外部通電を遮断する、米の保管容器の考案である。
【請求項２】
請求項１記載に示す、米の保管中に米糠より発散する臭気を取り除く、物品名は、吸着シートで臭気、放射線の一部を吸着する、ゼオライトに吸収性を持たせる、麦飯石、マグネシウム、カルシウム、アエン、薬石を粉砕した形状で不織布に塗布、配合比は四季を通じ匂いの量に合わせ、箱の中は殆ど密封の為米糠より発散する臭気を取り除く構造の吸着シートの考案である。
【請求項３】
請求項１記載に示す、米の保管中の腐食を防ぐ、腐食防止シートの物品名として、ローズヒップスを粉砕にした形状で不織布に塗布する、ローズヒップスが持つ、多種類のビタミンで米を保存する構造を持つ、腐食防止シートの考案である。
【請求項４】
請求項１記載に示す、米、お茶、穀物を入れる時点に搬入する放射線の一部や電解物が入り込む場合、除染が必要、物品名は吸蔵シートとした、鉱石、鉱物である、カルシウム、カリウム、マグネシウム、アエン、チタン、ストロンチウムの形状は粉砕にして鉱石や鉱物同士の相性の良い物同士を糊と混練し不織布に塗布する、更に残りの鉱石、鉱物を同じ方法で混練し更に同じ場所に塗布した吸蔵シートの構造は放射線、電磁波、紫外線、セシウムを除去する吸蔵シートの考案である。
【請求項５】
請求項１記載に示す、米の保存は現在の社会で、玄米を小分けにして白米保存する其のために玄米の予備袋が必要、物品名は予備保管袋とし、請求項２記載の吸着シート、請求項３記載の腐食防止シート、請求項４記載の吸蔵シートの形状や構造維持機能を活かし、外側にアルミニウム薄板を縫い合わせ、放射線、紫外線、電磁波、セシウムを遮断し白米、玄米の安全な保存方法とし袋の口は紐、ジッパーで止める、予備保管袋の考案である。
【請求項６】
請求項１記載に示す、米の保管容器の仕上がりは、それぞれの物品名素材を順序正しく設定し形状は不織布のシートを重ねる、１、請求項２記載の吸着シート２、請求項３記載の腐食防止シート３、請求項４記載の吸蔵シートを縫い合わせ一つの袋に仕上げた構造、その下に純銅、フエライト磁性体セラミックスを設置し、最終的に米を安全に保存する方法とし、袋の口は紐、ジッパーで止める、米の保管容器の考案である。
【考案の詳細な説明】
【考案の詳細な説明】
【技術分野】
【０００１】    本考案は、米及び穀物を紫外線、電磁波、放射線、セシウムを遮断して安全な米及び穀物の栄養成分が維持される、米の保管容器とする。
【背景技術】
【０００２】    従来は、米の保管に紫外線、電磁波、放射線に付きまとわれて困っている、又、アルミニウムの仕上がり箱全体を表面加工し、外部通電を遮断して外部より侵入の放射線、紫外線、電磁波を遮断して米の酸化を防ぐ方法の実用化はない。
【考案の開示】
【考案が解決しようとする課題】
【０００３】    従来は、米、お茶、穀物に繁殖する害虫駆除に鉱石、鉱物の中より吟味した鉱物の粉砕を糊材と混練し不織布に塗布した生地を袋に仕立て害虫駆除用に設置する。
【課題を解決するための手段】
【０００４】    本考案の基本、米、お茶、穀物の安全な保管方法とし、アルミニウム箱内にいれるそれぞれの不織布機能を活かしたシートを丁寧に重ね合わせて袋にしあげた。【０００５】    また、紫外線、電磁波、放射線の遮蔽は本考案の基本である、其の他ビタミン系列で米の酸化防止を起す、更に米糠などより発生する害虫も死滅させる。
【考案の効果】
【０００６】    本考案は、請求項１記載より順序に従い請求項６記載に至るまで的確な作業を実施することが出来る考案である。
【考案を実施するための最良形態】
【０００７】    本考案は、米に対し今まで使用者の方々は米の保存に着いて色々と工夫をされたが皆薬品などで旨く行かず悩んでいた、また、米に付いている米糠より臭気の匂いは御飯に炊いた後までも匂いが付き困っている。
【実施例】
【００８】    請求項１記載のアルミニウム板を使い色々の形に作り箱全体を表面加工して外部よりの通電機能遮蔽の為箱内の米の保管能力が高まる考案である。【００９】    請求項２記載の考案は、米糠より発散臭気が起こり、米の腐食の原因、其れの解決に吸着性構造のゼオライトを基本に鉱物を粉砕吸収性を高めたシートに仕上た。【００１０】    請求項３記載の考案は一般に例を見ない腐食防止袋の構造による、米、お茶、穀物の鮮度維持にローズヒップスの構造、多種類のビタミンの効力による鮮度維持。【００１１】    請求項４記載の考案は、除去シートである、米、お茶、穀物を箱内に入れる時放射線の一部や電解物が入り込んだ場合の除染方法に必要、除染袋である。【００１２】    請求項５記載の考案は、米が保管庫に這入らない場合に予備保管袋が必要、袋の作成は、請求項２記載、請求項３記載、請求項４記載内容と同一であるが、外部よりの放射線遮蔽のためにアルミニウム薄板を袋に重ね縫いし、口は紐、ジッパーで止める予備保管袋とした。【００１３】    請求項６記載の考案、アルミニウム箱を組み立て其の中に、吸着シート、腐食防止シートセシウムなど吸蔵シートを袋にする、口は紐、ジッパーで止めて丁寧に縫い合わせ、純銅板、フエライトをいれて、米の保管容器に仕上げる。
【図面の簡単な説明】
【００１４】
【図１】この考案はアルミニウム板を四角、八角、円形にした米の保管容器。
【図２】この考案は主に玄米を小分けにして白米にする為、玄米の予備保管袋。
【図３】この考案はアルミ箱内に、脱臭、腐食防止、除染する袋に仕立て収めた図。
【符号の説明】
【００１５】１  〜此の図は（図１）請求項１記載のアルミ箱の図
２  〜四角形の蓋図また、胴体の図
３  〜取って
４  〜此の図は八角形の蓋図また、胴体の図
５  〜取って
６  〜此の図は円形の蓋の図また胴体の図゛
７  〜取って
８  〜此の図は（図２）予備袋の図
９  〜此の図は口を止めるジッパー
１０  〜此の図は口を止める紐の図
１１  〜此の図は外気遮蔽のアルミニウム薄板を重ね縫いし取り付けた図
１２  〜此の図は匂いを取り除く、吸着シートの取り付け図
１３  〜此の図は腐食防止袋を取り付けた図
１４〜此の図は有害汚染物質を吸蔵シートを取り付けた図
１５〜此の頭は米の保管容器の全体図
１６〜此の図は口を止める紐の図
１７〜此の図は口を止めるジッパーの図
１８〜此の図はアルミニウム箱全体を表面加工した箱を取り付けた図
１９〜此の図は純銅薄板を箱の下に取り付けた図
２０〜此の図はフエライト、セラミックス円形を取り付けた図
２１〜此の図は吸着シートを取り付けた図
２２〜此の図は腐食防止シートを取り付けた図
２３〜此の図はセシウムなどの吸蔵シートを取り付けた図
２４〜此の図は米の保管容器中の米の図
２５〜此の図は予備保管袋に玄米を入れた図。
【図１】
0003178466.tif 000003
【図２】
0003178466.tif 000004
【図３】
0003178466.tif 000005
【手続補正書】
【提出日】平成24年6月26日(2012.6.26)
【手続補正１】
【補正対象書類名】実用新案登録請求の範囲
【補正対象項目名】全文
【補正方法】変更
【補正の内容】
【実用新案登録請求の範囲】
【請求項１】
米の鮮度を保つ為に、アルミ缶容器の形状は、四角または、円形または、八角とし、更に箱全体を表面加工し、外部通電を遮断することを特徴とする、米びつ保管容器。
【請求項２】
米びつ保管容器内の臭気除去をする為に、鉱石、鉱物を不識布に塗布し臭気除去シートを設けることを特徴とする、請求項１記載の米びつ保管容器。
【請求項３】
米びつ保管容器の米保存にローズヒップスを不識布に塗布したビタミンシートを設けることを特徴とする、請求項１記載の米びつ保管容器。
【請求項４】
希士類の鉱石、鉱物は、全て混合し、粉砕、糊状で不織布に塗布した除染シートを設けることを特徴とする、請求項１記載の米びつ保管容器。
【請求項５】
米びつ保管容器の予備袋は袋の米を中心に接触する順、請求項２記載の鉱物、鉱石の臭気除去シート及び、請求項３記載のビタミンシート及び、請求項４記載の除染シートを重ね、外側にアルミ薄板を縫い合わせたことを特徴とする、請求項１記載の米びつ保管容器。
【請求項６】
米びつ保管容器は、請求項１記載のアルミ缶を設置し、米に直接触れる順で、請求項２記載の臭気除去シート及び、請求頂３記載のビタミンシート及び、請求項４記載の除染シートを袋に仕立て、更に純銅、磁性体セラミックス設置したことを特徴とする、請求項１記載の米びつ保管容器。